(57)【要約】【課題】ＱｏＳを保証しながら、複数のアクセスポイントを連携させ、通信エリアを拡張する。【解決手段】一例において、無線伝送システムのアクセス制御装置は、複数のアクセスポイントが無線端末とポーリング通信を行うポーリング期間を開始する開始基準時刻を決定し、更新された第３の情報及び第４の情報に基づいて、ポーリング期間において、複数のアクセスポイントが前記無線端末とポーリング通信を行うタイミングを示すスケジューリング設定情報を作成する。アクセス制御装置は、複数のアクセスポイントのそれぞれに、ポーリング期間開始信号を送信する。複数のアクセスポイントのそれぞれは、受信したポーリング期間開始信号に基づいて、無線端末とポーリング通信を行う。【選択図】図１
2015032955.tif 000002
【特許請求の範囲】
【請求項１】
無線接続された無線端末と通信する、複数のアクセスポイントと、
前記複数のアクセスポイントと通信するアクセス制御装置と、を含み、
前記複数のアクセスポイントのそれぞれは、
自身のカバレッジに含まれる無線端末を示す第１の情報と、前記カバレッジ内において無線接続された無線端末を示す第２の情報と、を保持し、
前記第１の情報及び第２の情報の更新情報を前記アクセス制御装置に送信し、
前記アクセス制御装置は、
前記複数のアクセスポイントと前記複数のアクセスポイントのカバレッジに含まれる無線端末との対応関係を示す第３の情報と、前記複数のアクセスポイントと前記複数のアクセスポイントに無線接続された無線端末との対応関係を示す第４の情報と、を保持し、
前記複数のアクセスポイントから受信した前記更新情報に基づいて、前記第３の情報及び第４の情報を更新し、
前記複数のアクセスポイントが前記無線端末とポーリング通信を行うポーリング期間を開始する開始基準時刻を決定し、
前記更新された第３の情報及び第４の情報に基づいて、前記ポーリング期間において、前記複数のアクセスポイントが前記無線端末とポーリング通信を行うタイミングを示すスケジューリング設定情報を作成し、
前記複数のアクセスポイントのそれぞれに、前記開始基準時刻と前記スケジューリング設定情報において前記複数のアクセスポイントのそれぞれに対応する部分とを含むポーリング期間開始信号を、送信し、
前記複数のアクセスポイントのそれぞれは、受信した前記ポーリング期間開始信号に基づいて、前記無線端末とポーリング通信を行う、無線伝送システム。
【請求項２】
請求項１に記載の無線伝送システムであって、
前記スケジューリング設定情報は、前記ポーリング期間において、前記複数のアクセスポイントそれぞれに対して、前記無線端末と通信を行う通信区間を規定し、
前記複数のアクセスポイントの全ての通信区間は、互いに重ならないようにスケジュールされている、無線伝送システム。
【請求項３】
請求項２に記載の無線伝送システムであって、
前記通信区間は、前記アクセスポイントに無線接続している全ての無線端末とポーリング通信を行う包括的ポーリング区間と、前記包括的ポーリング区間において通信エラーが発生した無線端末とのポーリング通信を行う選択的ポーリング区間とを含み、
前記アクセス制御装置は、前記アクセスポイントに無線接続している無線端末数に基づいて、前記選択的ポーリング区間の長さを決定する、無線伝送システム。
【請求項４】
請求項１に記載の無線伝送システムであって、
前記スケジューリング設定情報は、前記ポーリング期間において、前記複数のアクセスポイントそれぞれに対して、前記無線端末と通信を行う通信区間を規定し、
前記通信区間は、ポーリング通信を行うポーリング区間と、前記ポーリング区間の後にＣＳＭＡ通信を行うＣＳＭＡ区間とを含み、
前記ポーリング区間は他のアクセスポイントの通信区間と重ならないようにスケジュールされ、前記複数のアクセスポイントの全てのＣＳＭＡ区間は一致するようにスケジュールされる、無線伝送システム。
【請求項５】
請求項４に記載の無線伝送システムであって、
前記複数のアクセスポイントは、ポーリング区間終了通知を前記アクセス制御装置に送信し、
前記アクセス制御装置は、
前記ポーリング区間終了通知に応答して、前記複数のアクセスポイントに順次、前記ポーリング区間の開始を指示し、
前記複数のアクセスポイントにおける最後のポーリング区間終了通知に応答して、前記複数のアクセスポイントの全てに前記ＣＳＭＡ区間の開始を指示する、無線伝送システム。
【請求項６】
請求項１に記載の無線伝送システムであって、
前記スケジュール情報は、前記ポーリング期間において、前記複数のアクセスポイントそれぞれに対して、無線接続している全ての無線端末とポーリング通信を行う包括的ポーリング区間を規定し、
前記アクセス制御装置は、前記複数のアクセスポイントのそれぞれから、前記包括的ポーリング区間において通信エラーが発生した無線端末の数を示す、前記包括的ポーリング区間終了通知を受信し、
前記アクセス制御装置は、前記複数のアクセスポイントの全てから前記完了通知を受信すると、第２のスケジュール情報を生成し、
前記第２のスケジュール情報は、前記ポーリング期間において、前記複数のアクセスポイントそれぞれに対して、前記包括的ポーリング区間において通信エラーが発生した無線端末とのポーリング通信を行う選択的ポーリング区間を規定し、
前記アクセス制御装置は、前記選択的ポーリング区間を前記完了通知が示す前記無線端末の数に基づいて決定し、
前記アクセス制御装置は、前記複数のアクセスポイントのそれぞれに、前記第２のスケジューリング設定情報において前記複数のアクセスポイントのそれぞれに対応する部分を含む選択的ポーリング区間開始信号を、送信し、
前記複数のアクセスポイントのそれぞれは、受信した前記選択的ポーリング区間開始信号に基づいて、前記無線端末と選択的ポーリング通信を行う、無線伝送システム。
【請求項７】
請求項１に記載の無線伝送システムであって、
前記スケジューリング設定情報は、前記ポーリング期間において、前記複数のアクセスポイントそれぞれに対して、無線接続している全ての無線端末と通信を行う包括的ポーリング区間を規定し、
前記複数のアクセスポイントの包括的ポーリング区間の少なくとも一部が重なっており、
前記複数のアクセスポイントの包括的ポーリング区間において、一つの無線端末が前記複数のアクセスポイントにおける一つのアクセスポイントとポーリング通信を行っている間、前記一つの無線端末が含まれるカバレッジの他のアクセスポイントのポーリング通信が禁止されている、無線伝送システム。
【請求項８】
無線接続された無線端末と通信する複数のアクセスポイントを制御する方法であって、
前記複数アクセスポイントのそれぞれは、自身のカバレッジに含まれる無線端末を示す第１の情報と、前記カバレッジ内において無線接続された無線端末を示す第２の情報と、を保持し、
前記方法は、
前記第１の情報及び第２の情報更新の更新情報を、前記複数アクセスポイントから受信し、
前記複数のアクセスポイントと前記複数のアクセスポイントのカバレッジに含まれる無線端末との対応関係を示す第３の情報と、前記複数のアクセスポイントと前記複数のアクセスポイントに無線接続された無線端末との対応関係を示す第４の情報とを、前記複数のアクセスポイントから受信した前記更新情報に基づいて更新し、
前記複数のアクセスポイントが前記無線端末とポーリング通信を行うポーリング期間を開始する開始基準時刻を決定し、
前記更新された第３の情報及び第４の情報に基づいて、前記ポーリング期間において、前記複数のアクセスポイントそれぞれが前記無線端末とポーリング通信を行うタイミングを示すスケジューリング設定情報を作成し、
前記開始基準時刻と前記スケジューリング設定情報とを含むポーリング期間開始信号を、前記複数のアクセスポイントのそれぞれに送信する、ことを特徴とする方法。
【発明の詳細な説明】
【技術分野】
【０００１】
本発明は、無線伝送システム、及びアクセスポイントを制御する方法に関する。
【背景技術】
【０００２】
近年、ＩＥＥＥ８０２．１１規格を基本とした無線ＬＡＮ規格が世界中で用いられている。メディアアクセスの典型的な方式として、Ｄｉｓｔｒｉｂｕｔｅｄ  Ｃｏｏｒｄｉｎａｔｉｏｎ  Ｆｕｎｃｔｉｏｎ（ＤＣＦ）やＥｎｈａｎｃｅｄ  Ｄｉｓｔｒｉｂｕｔｅｄ  Ｃｈａｎｎｅｌ  Ａｃｃｅｓｓ（ＥＤＣＡ）の自律分散制御をベースしにしたものが挙げられる。一方、各々のクライアントに対して更なるＱｕａｌｉｔｙ  ｏｆ  Ｓｅｒｖｉｃｅ（ＱｏＳ）を保証するためＰｏｉｎｔ  Ｃｏｏｒｄｉｎａｔｉｏｎ  Ｆｕｎｃｔｉｏｎ（ＰＣＦ）やＨｙｂｒｉｄ  Ｃｏｏｒｄｉｎａｔｉｏｎ  Ｆｕｎｃｔｉｏｎ  Ｃｏｎｔｒｏｌｌｅｄ  Ｃｈａｎｎｅｌ  Ａｃｃｅｓｓ（ＨＣＣＡ）等のポーリング信号による中央制御型の方式があり、リアルタイム性が要求されるサービスに用いられている。
【０００３】
本技術分野の背景技術として、特開２０１２−２３５４５３号公報（特許文献１）、特開２００５−８０１６２号公報（特許文献２）がある。特許文献１には、「選択的ポーリング技術は、適切にデータを送信することに失敗したステーションに送信失敗を修正する機会が与えられることを確保するために、無線ネットワーク内でステーションを選択的にポーリングするのに用いられる。選択的ポーリング技術は、あらゆるポーリングベースのシステムに適用でき、従って、レガシーシステムとの下位互換性が維持される。」と記載されている。
【０００４】
特許文献２には、「複数の無線端末装置とデータを送受信する無線基地局装置において、ＴＢ間の周期でビーコンを送信する手段と、ＣＳＭＡ／ＣＡプロトコルに従ったアクセス制御の後にデータを送信する手段と、下りデータの送信と上りデータの送信とを指示するポーリング信号を無線端末装置に送信する手段と、無線端末装置に送信するポーリング信号をＣＳＭＡ／ＣＡプロトコルに従って送信されるパケットよりも優先的に送信する手段と、時間間隔Ｔ１の周期性を有するデータを送受信する際に、ビーコンの送信間隔ＴＢをＴ１のｍ倍（ｍは自然数）とし、かつ、時間間隔Ｔ１をＴ１＝ｎ・Ｔ２（ｎは自然数）の関係を有する一定時間間隔Ｔ２で仮想的にスロット化する手段と、を備えるように構成する。」と記載されている。
【先行技術文献】
【特許文献】
【０００５】
【特許文献１】特開２０１２−２３５４５３号公報
【特許文献２】特開２００５−８０１６２号公報
【発明の概要】
【発明が解決しようとする課題】
【０００６】
特許文献１には、スケジュールに従って複数のステーションをポーリングする無線送受信機を含む、アクセスポイントの仕組みが記載されている。また、特許文献２には、複数の無線端末装置と無線パケット通信によりデータの送受信を行う無線基地局装置の仕組みが記載されている。
【０００７】
しかし、特許文献１に記載の技術は、複数のアクセスポイントを用いた場合に対応しておらず、無線伝送システムの対応エリアを拡大することができない。特許文献２の無線基地局装置は、全ての端末が定期的に送信権を得られない可能性があるため、ＱｏＳを保証できないという問題が生じる。
【０００８】
特許文献１に記載の技術を、そのまま複数のアクセスポイントを用いて実施すれば、無線伝送システムの対応エリアを拡大できるように思われるが、以下のような問題が生じる。
【０００９】
例えば、２つのアクセスポイントのカバレッジに含まれる無線端末が、一方のアクセスポイントに対してデータ信号の送信を行っており、かつ他方のアクセスポイントはどの無線端末からもデータ信号を受信していない場合を想定する。さらに、当該無線端末と、当該他方のアクセスポイントが形成する基本サービスセットに含まれる他の無線端末との距離が十分大きく、互いの信号を検出できないと仮定する。
【００１０】
このとき、当該他の無線端末は、当該他方のアクセスポイントに対してデータ信号の送信を試みる。従って、当該他方のアクセスポイントのカバレッジ内に含まれる、当該２つの無線端末が同時にデータ送信を行うこととなる。
【００１１】
また、例えば、ＩＥＥＥ８０２．１１規格では、利用できる周波数チャネルが限られており、無線伝送システムにおいて複数のアクセスポイントを用いる場合には、同一周波数をシェアして通信を行わなければならない。その結果、当該２つのアクセスポイントで同一周波数をシェアしていた場合には、当該他方のアクセスポイントのカバレッジ内において、当該２つの無線端末からのデータ信号が衝突するため、当該２つの無線端末は、データ信号をアクセスポイントに送信することができなくなる。
【００１２】
従って、特許文献１に記載の技術に、そのまま複数のアクセスポイントを設置すると、アクセスポイントのカバレッジが重複する範囲に無線端末が存在した場合、データ信号が衝突する可能性があり、ＱｏＳが保証されないおそれがある。
【００１３】
そこで本発明は、ＱｏＳを保証し、簡易に複数アクセスポイントを連携させ、通信エリアを拡張する、無線伝送システムを提供する。
【課題を解決するための手段】
【００１４】
上記課題を解決するために、本発明は、例えば、以下のような構成を採用する。すなわち、無線接続された無線端末と通信する、複数のアクセスポイントと、前記複数のアクセスポイントと通信するアクセス制御装置と、を含み、前記複数のアクセスポイントのそれぞれは、自身のカバレッジに含まれる無線端末を示す第１の情報と、前記カバレッジ内において無線接続された無線端末を示す第２の情報と、を保持し、前記第１の情報及び第２の情報の更新情報を前記アクセス制御装置に送信し、前記アクセス制御装置は、前記複数のアクセスポイントと前記複数のアクセスポイントのカバレッジに含まれる無線端末との対応関係を示す第３の情報と、前記複数のアクセスポイントと前記複数のアクセスポイントに無線接続された無線端末との対応関係を示す第４の情報と、を保持し、前記複数のアクセスポイントから受信した前記更新情報に基づいて、前記第３の情報及び第４の情報を更新し、前記複数のアクセスポイントが前記無線端末とポーリング通信を行うポーリング期間を開始する開始基準時刻を決定し、前記更新された第３の情報及び第４の情報に基づいて、前記ポーリング期間において、前記複数のアクセスポイントが前記無線端末とポーリング通信を行うタイミングを示すスケジューリング設定情報を作成し、前記複数のアクセスポイントのそれぞれに、前記開始基準時刻と前記スケジューリング設定情報において前記複数のアクセスポイントのそれぞれに対応する部分とを含むポーリング期間開始信号を、送信し、前記複数のアクセスポイントのそれぞれは、受信した前記ポーリング期間開始信号に基づいて、前記無線端末とポーリング通信を行う、無線伝送システム。
【発明の効果】
【００１５】
本発明の一態様によれば、ＱｏＳを確保しながら、簡易に複数アクセスポイントを連携させ、通信可能エリアを拡張させることができる。
【００１６】
上記した以外の課題、構成及び効果は、以下の実施形態の説明により明らかにされる。
【図面の簡単な説明】
【００１７】
【図１】実施例１において、無線伝送システムの概要例を示す説明図である。
【図２】実施例１において、アクセス制御装置の構成例を示すブロック図である。
【図３】実施例１において、アクセスポイントの構成例を示すブロック図である。
【図４】実施例１において、基本サービスセットの１つのＳＩ内で、アクセスポイントと無線端末とが互いにデータ送受信を行うタイミングを示す説明図である。
【図５】実施例１において、アクセスポイントが持つ衝突テーブルと、アクセス制御装置が持つ全ＡＰ衝突テーブルの例である。
【図６】実施例１において、アクセスポイントが持つアソシエーションテーブルと、アクセス制御装置が持つ全ＡＰアソシエーションテーブルの例である。
【図７】実施例１において、アクセス制御装置が持つスケジューリングテーブルと、アクセスポイントが持つポーリングテーブルの例である。
【図８】実施例１において、無線伝送システムの動作例を示すシーケンス図である。
【図９】実施例１において、ポーリング通信の動作例を示すシーケンス図である。
【図１０】実施例１において、ポーリング通信時のアクセスポイントの動作例を示すフローチャートである。
【図１１Ａ】実施例１において、無線伝送システムの概要例を示す図である。
【図１１Ｂ】実施例１において、図１１Ａに示す無線伝送システムのアクセス制御装置が持つ全ＡＰ衝突テーブルである。
【図１１Ｃ】実施例１において、図１１Ａに示す無線伝送システムのアクセス制御装置が持つ全ＡＰアソシエーションテーブルである。
【図１２Ａ】実施例１において、図１１Ａに示す無線伝送システムのポーリング通信の例を示すタイミングチャートである。
【図１２Ｂ】実施例１において、ポーリング通信を行うアクセスポイントと無線端末の組み合わせの順番を示すテーブルである。
【図１２Ｃ】実施例１において、図１１Ａに示す無線伝送システムのアクセス制御装置が持つスケジューリングテーブルである。
【図１３Ａ】実施例２において、図１１Ａに示す無線伝送システムのポーリング通信の例を示すタイミングチャートである。
【図１３Ｂ】実施例２において、図１１Ａに示す無線伝送システムのアクセス制御装置が持つスケジューリングテーブルである。
【図１４Ａ】実施例３において、図１１Ａに示す無線伝送システムのポーリング通信の例を示すタイミングチャートである。
【図１４Ｂ】実施例３において、図１１Ａに示す無線伝送システムのアクセス制御装置が持つ、包括的ポーリング区間におけるスケジューリングテーブルである。
【図１４Ｃ】実施例３において、図１１Ａに示す無線伝送システムのアクセス制御装置が持つ、選択的ポーリング区間とＣＳＭＡ区間におけるスケジューリングテーブルである。
【図１５Ａ】実施例４において、図１１Ａに示す無線伝送システムのポーリング通信の例を示すタイミングチャートである。
【図１５Ｂ】実施例４において、図１１Ａに示す無線伝送システムのアクセス制御装置が持つ、包括的ポーリング区間におけるスケジューリングテーブルを作成する過程を示すテーブルである。
【図１５Ｃ】実施例４において、図１１Ａに示す無線伝送システムのアクセス制御装置が持つ、包括的ポーリング区間におけるスケジューリングテーブルを作成する過程を示すテーブルである。
【図１５Ｄ】実施例４において、図１１Ａに示す無線伝送システムのアクセス制御装置が持つ、包括的ポーリング区間におけるスケジューリングテーブルである。
【図１５Ｅ】実施例４において、図１１Ａに示す無線伝送システムのアクセス制御装置が持つ、選択的ポーリング区間とＣＳＭＡ区間におけるスケジューリングテーブルである。
【図１６】実施例５において、無線伝送システムの概要例を示す説明図である。
【図１７】実施例６において、無線伝送システムの概要例を示す説明図である。
【図１８】実施例７において、無線伝送システムの概要例を示す説明図である。
【図１９】実施例８において、無線映像伝送システムの概要例を示す説明図である。
【発明を実施するための形態】
【００１８】
以下、添付図面を参照して本発明の実施形態を説明する。本実施形態は本発明を実現するための一例に過ぎず、本発明の技術的範囲を限定するものではないことに注意すべきである。各図において共通の構成については同一の参照符号が付されている。
【００１９】
本実施形態は、無線伝送システムを説明する。本実施形態の無線伝送システムは、アクセス制御装置と、アクセス制御装置に接続された複数のアクセスポイントと、当該複数のアクセスポイントのうちいずれかと接続された無線端末と、を含む。
【００２０】
アクセス制御装置は、全ＡＰ衝突テーブルの情報と、全ＡＰアソシエーションテーブルの情報と、に基づいて、複数アクセスポイントがポーリング通信をするタイミングを示すスケジューリングテーブルを作成する。各アクセスポイントはアクセス制御装置から受信したスケジューリングテーブルの情報に基づいてポーリング通信をする。
【００２１】
また、各アクセスポイントの衝突テーブル及び、アソシエーションテーブルが更新された場合、アクセス制御装置は、全ＡＰ衝突テーブルと、全ＡＰアソシエーションテーブルと、を更新し、更新情報に基づいてスケジューリングテーブルを作成する。
【実施例１】
【００２２】
以下、本発明の第１の実施例について図面を参照して説明する。
【００２３】
図１は、本実施例の無線伝送システムの概要の一例を示す。本実施例の無線伝送システムは、アクセス制御装置（ＡＣ）６００、有線ケーブル６０１−１〜６０１−３、アクセスポイント（ＡＰ）６０２−１〜６０２−３、無線端末（ＳＴＡ）６０３−１１〜６０３−１３、６０３−２１〜６０３−２３、６０３−３１〜６０３−３３を含む。
【００２４】
アクセス制御装置６００とアクセスポイント６０２―ｋ（ｋは１〜３の任意数）は、有線ケーブル６０１―ｋで接続され、相互に通信を行う。アクセスポイント６０２―ｋと無線端末６０３―ｋｌ（ｌは１〜３の任意数）は、無線信号により相互に通信を行う。アクセスポイント６０２―ｋと、それに接続される無線端末６０３―ｋ１〜６０３ｋ３で構成されるネットワークを基本サービスセット（ＢＳＳ）６０６―ｋと呼ぶ。
【００２５】
以下、有線ケーブル６０１−ｋ、アクセスポイント６０２−ｋ、及び無線端末６０３−ｋｌを特に区別しない場合、それぞれ有線ケーブル６０１、アクセスポイント６０２、無線端末６０３と記載する。なお、本実施例の無線伝送システムの機能を実現できる範囲であれば、アクセス制御装置６００、有線ケーブル６０１、アクセスポイント６０２、及び無線端末６０３のいずれの個数にも制限はない。
【００２６】
図２は、図１におけるアクセス制御装置６００の構成例を示す。アクセス制御装置６００は、マイコン９０１、インタフェース９０４を含む。マイコン９０１は通信を制御する。マイコン９０１は、ＣＰＵ９０２、メモリ９０３を含み、インタフェース９０４に接続されている。インタフェース９０４は、有線により、アクセスポイント６０２と通信する。
【００２７】
メモリ９０３は、テーブル格納部７０２、処理プログラム格納部７０３を含む。テーブル格納部７０２は、全ＡＰ衝突テーブル７０４、全ＡＰアソシエーションテーブル７０５、スケジューリングテーブル７０６を格納する。これらテーブルの内容は後述する。処理プログラム格納部７０３は、スケジューリング演算部７０７、設定変更指令部７０８、制御信号処理部７０９、データ信号処理部７１０、同期処理部７１１、認証部７１２、テーブル管理部７１３を含む。処理プログラム格納部７０３に含まれる各部は、全てプログラムである。ＣＰＵ９０２は、当該各プログラムに従って動作することで、各部の機能を実現する。
【００２８】
スケジューリング演算部７０７は、全ＡＰ衝突テーブル７０４の情報と、全ＡＰアソシエーションテーブル７０５の情報と、に基づいてスケジューリングテーブル７０６を作成する。設定変更指令部７０８は、各アクセスポイント６０２に対して、後述するポーリング期間開始信号を送信し、各アクセスポイント６０２のポーリングテーブル８０６の内容を変更する指令等を行う。
【００２９】
制御信号処理部７０９は、アクセスポイント６０２からのスケジューリングテーブル更新要求に対する応答等を行う。データ信号処理部７１０は、データ信号の変復調を行い、アクセスポイント６０２と、データ信号の送受信を行う。同期処理部７１１は、スケジューリングテーブル７０６の情報と、各アクセスポイント６０２がポーリング期間開始基準時刻の情報と、を含むポーリング期間開始信号を生成する。ポーリング期間とは、各基本サービスセット６０６におけるＳＩ（Ｓｅｒｖｉｃｅ  Ｉｎｔｅｒｖａｌ：サービス期間）が一巡する期間である。なお、同期処理部７１１は、ポーリング期間開始基準時刻を、具体的に数値で与えなくてもよい。例えば、ポーリング期間開始基準時刻を、アクセスポイント６０２がポーリング期間開始信号を受信し、ポーリング通信を開始できる状態になった時刻等としてもよい。
【００３０】
認証部７１２は、アクセスポイント６０２からのスケジューリングテーブル更新要求を許可するか否かの判定を行う。テーブル管理部７１３は、全ＡＰ衝突テーブル７０４、全ＡＰアソシエーションテーブル７０５、及びスケジューリングテーブル７０６の更新等を行う。
【００３１】
図３は、図１におけるアクセスポイント６０２の構成例を示す。アクセスポイント６０２は、マイコン１００１、インタフェース１００４、ＲＦ部１００５、アンテナ１００６を含む。マイコン１００１は通信を制御する。マイコン１００１は、ＣＰＵ１００２、メモリ１００３を含み、インタフェース１００４とＲＦ部１００５に接続されている。インタフェース１００４は、有線により、アクセス制御装置６００と通信する。アンテナ１００６は、ＲＦ部１００５に接続され、ＲＦ部１００５は、無線信号により、無線端末６０３と通信する。
【００３２】
メモリ１００３は、テーブル格納部８０２、処理プログラム格納部８０３を含む。テーブル格納部８０２は、衝突テーブル８０４、アソシエーションテーブル８０５、ポーリングテーブル８０６を格納する。これらテーブルの内容は後述する。処理プログラム格納部８０３は、設定変更要求部８０８、ポーリング制御部８０９、再送制御部８１０、ＣＳＭＡ（Ｃａｒｒｉｅｒ  Ｓｅｎｓｅ  Ｍｕｌｔｉｐｌｅ  Ａｃｃｅｓｓ：搬送波感知多重アクセス）制御部８１１、信号検出部８１２、制御信号処理部８１３、データ信号処理部８１４、同期処理部８１５、認証部８１６、テーブル管理部８１７を含む。処理プログラム格納部８０３に含まれる各部は、全てプログラムである。ＣＰＵ１００２は、当該各プログラムに従って動作することで、各部の機能を実現する。
【００３３】
設定変更要求部８０８は、当該アクセスポイント６０２のテーブル管理部８１７が、衝突テーブル８０４、アソシエーションテーブル８０５を更新した場合、アクセス制御装置６００に対して、全ＡＰ衝突テーブル７０４、全ＡＰアソシエーションテーブル７０５をそれぞれ更新するよう要求する。
【００３４】
ポーリング制御部８０９は、後述する包括的ポーリング区間において、ポーリングテーブル８０６に基づき、当該アクセスポイント６０２とアソシエーションしている無線端末６０３が、データ送信を行うタイミングを制御する。再送制御部８１０は、後述する選択的ポーリング区間において、ポーリングテーブル８０６に基づき、包括的ポーリング区間でデータ送信を失敗した無線端末６０３が、データの再送を行うタイミングを制御する。ＣＳＭＡ制御部８１１は、後述するＣＳＭＡ区間において、ポーリングテーブル８０６に基づき、アソシエーションしている無線端末６０３の制御を行う。
【００３５】
信号検出部８１２は、無線端末６０３からのデータ信号を検出する。制御信号処理部８１３は、無線端末６０３からの接続要求に対する処理や、アクセス制御装置６００に対するスケジューリングテーブル７０６の更新要求などを行う。データ信号処理部８１４は、アクセス制御装置６００のデータ信号処理部７１０や、無線端末６０３と、データ信号の送受信を行い、データ信号の変復調を行う。
【００３６】
同期処理部８１５は、アクセス制御装置６００の同期処理部７１１により作成されたポーリング期間開始信号に含まれるポーリング期間開始基準時刻の情報に基づいて、他のアクセスポイント６０２とポーリング期間開始のタイミングを合わせる。認証部８１６は、無線端末６０３からの接続要求に対して、許可するか否かの判定を行う。テーブル管理部８１７は、衝突テーブル８０４、アソシエーションテーブル８０５、及びポーリングテーブル８０６の更新を行う。
【００３７】
図４は、本実施例における、基本サービスセット６０６の１つのＳＩ２０１において、アクセスポイント６０２と、各無線端末６０３と、が互いにデータ送受信を行うタイミングを説明する図である。ＳＩ２０１は、包括的ポーリング区間１４０２、選択的ポーリング区間１４０３、ＣＳＭＡ区間１４０４の順に、３つの区間に分かれる。これら３つの区間を総称して通信区間と呼び、包括的ポーリング区間１４０２と選択的ポーリング区間１４０３とを総称してポーリング区間と呼ぶ。通信区間の詳細、及び割振りについては後述する。
【００３８】
包括的ポーリング区間１４０２では、ポーリング制御部８０９は、当該基本サービスセット６０６に属する全ての無線端末６０３に逐次ポーリングをして、データ送信をする機会を与える。データ信号処理部８１４は、無線端末６０３が送信したデータを受信し、当該データのエラーを検出する。
【００３９】
次の選択的ポーリング区間１４０３では、再送制御部８１０は、包括的ポーリング区間１４０２において、エラーが検出されたデータを送信した無線端末６０３に対して、再びポーリングをして、再送制御を行う。これにより、パケットロス率を低下させることができる。当該再送制御は、再送されたデータにエラーが検出されなくなるまで行われ、これをもって選択的ポーリング区間１４０３が終了する。但し、ポーリングテーブル８０６で定められたＳＩ２０１の終了時刻が到達したときに、選択的ポーリング区間１４０３が終了していない場合には、ＳＩ２０１の終了時刻と同時に、選択的ポーリング区間１４０３が終了する。つまり、選択的ポーリング区間１４０３は、再送されたエラーにデータが検出されなくなったとき、又はポーリングテーブルで定められたＳＩ２０１終了時刻の到達、のいずれか早い方をもって終了する。
【００４０】
ＳＩ２０１の終了時刻が到達する前に選択的ポーリング区間１４０３が終了した場合、データ信号処理部８１４は、ポーリング終了信号２０５を各無線端末６０３に送信し、選択的ポーリング区間１４０３が終了したことを知らせる。データ信号処理部８１４が、ポーリング終了信号２０５を通知したら、ＣＳＭＡ区間１４０４が開始する。ＣＳＭＡ区間１４０４では、ＣＳＭＡ制御部８１１は、全無線端末６０３と、ＣＳＭＡ方式でデータ通信を行う。ＣＳＭＡ区間１４０４は、ＳＩ２０１の終了時刻の到達をもって終了する。ＣＳＭＡ区間１４０４を設けることにより、優先制御の機能が実装されていない無線端末６０３に対しても制御が可能となり、互換性を維持することができる。
【００４１】
なお、本実施例のポーリング期間の長さ、各基本サービスセット６０６におけるＳＩ２０１の長さ、及びＳＩ２０１中の各通信区間の長さは、スケジューリング演算部７０７が、スケジューリングテーブル７０６に、タイムスロット２０２を割り当てることで決定される。なお、タイムスロット２０２とは、一連のポーリング通信にかかる期間、すなわち、アクセスポイント６０２が、１つの無線端末６０３に対してポーリング信号２０３の送信を開始してから、当該無線端末６０３からのデータ信号２０４の受信を終了するまでの期間を表す。
【００４２】
包括的ポーリング区間１４０２の長さは、当該アクセスポイント６０２とアソシエーションしている無線端末６０３の台数に応じて、スケジューリング演算部７０７により、決定される。例えば、スケジューリング演算部７０７は、アクセスポイント６０２がアソシエーションしている無線端末６０３の台数と同じ数のタイムスロット２０２を、包括的ポーリング区間１４０２に割り当てる。このとき、ポーリング制御部８０９は、各無線端末６０３に対して一度ずつポーリングをする。
【００４３】
前述した通り、選択的ポーリング区間１４０３とＣＳＭＡ区間１４０４との境界は、データ通信の状況に応じて決定されるため、各々の長さはスケジューリングテーブル７０６に示されないが、選択的ポーリング区間１４０３の長さとＣＳＭＡ区間１４０４の長さとの和は、スケジューリングテーブル７０６に示される。
【００４４】
選択的ポーリング区間１４０３の長さとＣＳＭＡ区間１４０４の長さとの和は、例えば、各アクセスポイント６０２とアソシエーションしている無線端末６０３の台数に応じて、スケジューリング演算部７０７により、決定される。例えば、スケジューリング演算部７０７は、各アクセスポイント６０２が、アソシエーションしている無線端末の台数に比例して、選択的ポーリング区間１４０３とＣＳＭＡ区間１４０４にタイムスロット２０２を割り当てる等の方法が考えられる。
【００４５】
ここでは、スケジューリング演算部７０７が、まず、包括的ポーリング区間１４０２、及び選択的ポーリング区間１４０３とＣＳＭＡ区間１４０４にタイムスロット２０２を割り当て、各区間の長さを決定することにより、ＳＩ２０１全体の長さ、ひいてはポーリング期間の長さが決定される場合を説明したが、前述した条件を満たす限り、これらを決定する順序に制限はない。つまり、ポーリング期間、ＳＩ２０１、包括的ポーリング区間１４０２、選択的ポーリング区間１４０３、及びＣＳＭＡ区間１４０４の長さを決める順序は自由である。
【００４６】
図５は、衝突テーブル８０４、及び全ＡＰ衝突テーブル７０４の構成例を示す。衝突テーブル８０４は、アクセスポイント６０２のカバレッジ内に存在し、かつアクセスポイント６０２がその存在を検知している無線端末６０３の情報を保持する。
【００４７】
例えば、衝突テーブル８０４は、当該アクセスポイント６０２を一意に識別する識別情報を行に、無線端末６０３を一意に識別する識別情報の一覧を列に持ち、各セルには０又は１を格納する、１行のテーブルである。
【００４８】
後述する図８のステップＳ１１０１において、当該アクセスポイント６０２が、自身のカバレッジ内の新たな無線端末６０３の存在を検知した場合、テーブル管理部８１７は、衝突テーブル８０４に当該無線端末６０３の識別情報に対応する列があれば、当該セルに１を格納する。当該対応する列がなければ、テーブル管理部８１７は、当該対応する列を追加したうえで、当該セルに１を格納する。
【００４９】
当該アクセスポイント６０２が、当該無線端末６０３からのプローブ要求信号を一定時間受信しなかった等、自身のカバレッジ内に当該無線端末６０３が存在することを検知できなくなった場合は、テーブル管理部８１７は、衝突テーブル８０４の当該セルに０を格納する。また、この場合、当該列を削除してもよい。
【００５０】
全ＡＰ衝突テーブル７０４は、アクセス制御装置６００の制御下にある全てのアクセスポイント６０２について、いずれかのカバレッジ内に存在し、かつ当該アクセスポイント６０２がその存在を検知している無線端末６０３の情報を保持する。
【００５１】
例えば、全ＡＰ衝突テーブル７０４は、アクセス制御装置の制御下にある全てのアクセスポイント６０２を一意に識別する識別情報の一覧を行に、本実施例における無線伝送システムに含まれる全ての無線端末６０３を一意に識別する識別情報の一覧を列に持ち、各セルには０又は１を格納するテーブルである。
【００５２】
後述する図８のステップＳ１１１１において、テーブル管理部７１３は、各アクセスポイント６０２から送信される全ＡＰ衝突テーブル更新要求信号に含まれる衝突テーブル８０４の情報に基づいて、全ＡＰ衝突テーブル７０４を更新する。図５の例を用いて具体的に説明する。
【００５３】
図５ではアクセスポイント６０２−ｎからアクセス制御装置６００に対して全ＡＰ衝突テーブル更新要求信号が送信されている例が示されている。全ＡＰ衝突テーブル更新要求信号に含まれる衝突テーブル８０４の情報を参照すると、アクセスポイント６０２−ｎのカバレッジ内に、無線端末６０３−ｋ、６０３−ｌ、６０３−ｍが含まれていることがわかる。従って、テーブル管理部７１３は、全ＡＰ衝突テーブル７０４の、アクセスポイント６０２−ｎを表す行において、無線端末６０３−ｋ、６０３−ｌ、６０３−ｍを表すセルに１を格納し、その他全てのセルに０を格納する。
【００５４】
図６は、アソシエーションテーブル８０５、及び全ＡＰアソシエーションテーブル７０５の構成例を示す。アソシエーションテーブル８０５は、当該アクセスポイント６０２と現在アソシエーションしている無線端末の情報を保持する。
【００５５】
例えば、アソシエーションテーブル８０５は、当該アクセスポイント６０２を一意に識別する識別情報を行に、当該無線端末６０３を一意に識別する識別情報の一覧を列に持ち、各セルには０又は１を格納する、１行のテーブルである。後述する図８のステップＳ１１０６において、当該アクセスポイント６０２の認証部８１６が、無線端末６０３から接続要求を許可したとき、アソシエーションテーブル８０５に、当該無線端末６０３の識別情報に対応する列があれば、テーブル管理部８１７は、当該セルに１を格納する。当該対応する列がなければ、テーブル管理部８１７は、当該対応する列を追加したうえで、当該セルに１を格納する。
【００５６】
アクセスポイント６０２が、無線端末６０３から遮断要求を受け付けた場合や、後述する図８のステップＳ１１１８のように、当該アクセスポイント６０２の信号検出部８１２が、無線端末６０３からデータ信号の遮断を検出した場合は、テーブル管理部８１７は、アソシエーションテーブル８０５の当該セルに０を格納する。また、この場合、当該列を削除してもよい。
【００５７】
全ＡＰアソシエーションテーブル７０５は、アクセス制御装置６００の制御下にある全てのアクセスポイント６０２について、当該アクセスポイント６０２が現在アソシエーションしている無線端末６０３の情報を保持する。
【００５８】
例えば、全ＡＰアソシエーションテーブル７０５は、アクセス制御装置６００の制御下にある全てのアクセスポイント６０２を一意に識別する識別情報の一覧を行に、本実施例における無線伝送システムに含まれる全ての無線端末６０３を一意に識別する識別情報の一覧を列に持ち、各セルには０又は１を格納する、テーブルである。
【００５９】
後述する図８のステップＳ１１１０において、テーブル管理部７１３は、各アクセスポイント６０２からの全ＡＰアソシエーションテーブル更新要求信号に含まれるアソシエーションテーブル８０５の情報に基づいて、全ＡＰアソシエーションテーブル７０５を更新する。図６の例を用いて具体的に説明する。
【００６０】
図６はアクセスポイント６０２−ｎからアクセス制御装置６００に対して全ＡＰアソシエーションテーブル更新要求信号が送信されている例を示す。全ＡＰアソシエーションテーブル更新要求信号に含まれるアソシエーションテーブル８０５の情報を参照すると、アクセスポイント６０２−ｎは、無線端末６０３−ｋ、６０３−ｌとアソシエーションし、無線端末６０３−ｍとはアソシエーションしていないことがわかる。従って、テーブル管理部７１３は、全ＡＰアソシエーションテーブル７０５の、アクセスポイント６０２−ｎを表す行において、無線端末６０３−ｋ、６０３−ｌを表すセルに１を格納し、６０３−ｍを表すセル、及びその他全てのセルに０を格納する。
【００６１】
図７は、スケジューリングテーブル７０６、及びポーリングテーブル８０６の構成例を示す。スケジューリングテーブル７０６は、アクセス制御装置６００の制御下にある各アクセスポイント６０２が、当該基本サービスセット６０６における無線端末６０３とポーリング通信をするタイミングの情報を保持する。
【００６２】
例えば、スケジューリングテーブル７０６は、アクセス制御装置６００の制御下にある全てのアクセスポイント６０２を一意に識別する識別情報を行に、タイムスロット２０２を列に持ち、各セルには、無線端末６０３を一意に識別する識別情報、０、又は、−１を格納する、テーブルである。また、スケジューリングテーブル７０６は、当該アクセスポイント６０２の周波数チャネル情報を行に持ってもよい。
【００６３】
なお、あるアクセスポイント６０２が、あるタイムスロット２０２において、どの無線端末６０３ともポーリング通信を行わないときは、テーブル管理部７１３は、当該セルに０を格納する。また、あるアクセスポイント６０２において、選択的ポーリング区間１４０３とＣＳＭＡ区間１４０４とのためにタイムスロット２０２が割り当てられているときは、当該セルには−１を格納する。
【００６４】
スケジューリングテーブル７０６は、全ＡＰ衝突テーブル７０４と全ＡＰアソシエーションテーブル７０５に基づいて、スケジューリング演算部７０７により作成されるが、その方法は、各実施例により異なるため、詳しい内容は後述する。
【００６５】
ポーリングテーブル８０６は、当該アクセスポイント６０２が、当該基本サービスセット６０６における各無線端末６０３とポーリングをするタイミングを示す。例えば、ポーリングテーブル８０６は、当該アクセスポイント６０２を一意に識別する識別情報を行に、タイムスロット２０２を列に持ち、各セルには、無線端末６０３を一意に識別する識別情報、０、又は、−１を格納する、１行のテーブルである。
【００６６】
後述する図８のステップＳ１１１３や、図８のステップＳ１１２４において、当該アクセスポイント６０２がポーリング期間開始信号を受信したとき、受信したポーリング期間開始信号に含まれるスケジューリングテーブル７０６の情報に基づいて、テーブル管理部８１７は、ポーリングテーブル８０６を更新する。具体的には、各アクセスポイント６０２は、受信したポーリング期間開始信号に含まれるスケジューリングテーブル７０６の情報から、自身の識別情報に対応する行を抜き出し、その行を新たなポーリングテーブル８０６として更新する。なお、ポーリング期間開始信号に含まれるスケジューリングテーブル７０６の情報は、各アクセスポイント６０２の識別情報に対応する行を含んでいれば、スケジューリングテーブル７０６の情報の一部でもよい。
【００６７】
図８は、本実施例における無線伝送システムの動作例を示すシーケンス図である。各無線端末６０３は、周辺のアクセスポイント６０２の存在を知るために定期的にプローブ要求信号を送信する（Ｓ１１０１）。プローブ要求信号を受信したアクセスポイント６０２の制御信号処理部８１３は、当該無線端末６０３に対して応答信号を送信する（Ｓ１１０２）。アクセスポイント６０２のテーブル管理部８１７は、プローブ要求信号に含まれる当該無線端末６０３の識別情報を基に、衝突テーブル８０４を作成、又は更新する（Ｓ１１０３）。
【００６８】
当該無線端末６０３は、アクセスポイント６０２からの応答信号を受信後、どのアクセスポイント６０２に接続するかを選択する（Ｓ１１０４）。なお、当該無線端末６０３は、予め定められた条件に基づいて、接続するアクセスポイント６０２を決定する。当該条件として例えば、当該無線端末６０３がアクセスポイント６０２から受信した応答信号のＲＳＳＩの大きい方を優先する等がある。
【００６９】
無線端末６０３は、当該アクセスポイント６０２の制御信号処理部８１３に対して、接続要求信号を送信する（Ｓ１１０５）。当該アクセスポイント６０２の認証部８１６は認証を行い、当該アクセスポイント６０２の制御信号処理部８１３は、当該無線端末６０３に許可信号を送信する（Ｓ１１０６）。当該アクセスポイント６０２のテーブル管理部８１７は、当該無線端末６０３の情報について、アソシエーションテーブル８０５の更新を行う（Ｓ１１０７）。
【００７０】
当該アクセスポイント６０２の設定変更要求部８０８は、全ＡＰ衝突テーブル更新要求信号と、全ＡＰアソシエーションテーブル更新要求信号とを、当該アクセスポイント６０２の制御信号処理部８１３はスケジューリングテーブル更新要求信号を、アクセス制御装置６００に送信する（Ｓ１１０８）。
【００７１】
アクセス制御装置６００が、各テーブル更新要求信号を受け取ったら、制御信号処理部７０９は、当該アクセスポイント６０２に対して応答信号を送信する（Ｓ１１０９）。テーブル管理部７１３は、全ＡＰアソシエーションテーブル更新要求信号に含まれるアソシエーションテーブル８０５の情報に基づいて、全ＡＰアソシエーションテーブル７０５の更新（Ｓ１１１０）及び、全ＡＰ衝突テーブル更新要求信号に含まれる衝突テーブル８０４の情報に基づいて、全ＡＰ衝突テーブル７０４の更新を行う（Ｓ１１１１）。
【００７２】
スケジューリング演算部７０７は、更新された全ＡＰアソシエーションテーブル７０５の情報と、更新された全ＡＰ衝突テーブル７０４の情報とに基づいて、スケジューリングテーブル７０６を作成し、テーブル管理部７１３はスケジューリングテーブル７０６の更新を行う（Ｓ１１１２）。
【００７３】
アクセス制御装置６００の同期処理部７１１は、アクセスポイント６０２のポーリング期間開始基準時刻を決定し、当該開始基準時刻の情報と、スケジューリングテーブル７０６の情報（スケジューリング設定情報）と、を含むポーリング期間開始信号を作成する。設定変更指令部７０８は、各アクセスポイント６０２のデータ信号処理部８１４に対し、ポーリング期間開始信号を送信する（Ｓ１１１３）。
【００７４】
各アクセスポイント６０２のテーブル管理部８１７は、受信したポーリング期間開始信号に含まれるスケジューリング設定情報に基づいて、ポーリングテーブル８０６を更新する（Ｓ１１１４）。各アクセスポイント６０２は、それぞれの基本サービスセット６０６でポーリングテーブル８０６に基づきポーリング通信を行う（Ｓ１１１５）。ポーリング通信（Ｓ１１１５）の詳細については、後述する。
【００７５】
ポーリング期間中において、あるアクセスポイント６０２が、当該基本サービスセット６０６内に存在する無線端末６０３にポーリング信号を送信して（Ｓ１１１６）、データ信号処理部８１４において、無線端末６０３からのデータ信号が受信されない（Ｓ１１１７）場合、当該アクセスポイント６０２の信号検出部８１２はデータ信号の遮断を検出する（Ｓ１１１８）。テーブル管理部８１７は、当該無線端末６０３の情報をアソシエーションテーブル８０５から除外する更新を行う（Ｓ１１１９）。
【００７６】
テーブル管理部８１７がアソシエーションテーブル８０５を更新した後、当該アクセスポイント６０２の設定変更要求部８０８は、アクセス制御装置６００に対して、全ＡＰアソシエーションテーブル更新要求信号を送信し、制御信号処理部８１３はアクセス制御装置６００に対して、スケジューリングテーブル更新要求信号を送信する（Ｓ１１２０）。
【００７７】
アクセス制御装置６００が、テーブル更新要求信号を受け取ったら、制御信号処理部７０９は、当該アクセスポイント６０２に対して応答信号を送信する（Ｓ１１２１）。テーブル管理部７１３は、全ＡＰ衝突テーブル更新要求信号に含まれる衝突テーブル８０４の情報に基づいて、全ＡＰアソシエーションテーブル７０５を更新する（Ｓ１１２２）。
【００７８】
スケジューリング演算部７０７は、全ＡＰ衝突テーブル７０４の情報と、更新された全ＡＰアソシエーションテーブル７０５の情報とに基づいて、スケジューリングテーブル７０６を作成し、テーブル管理部７１３は、スケジューリングテーブル７０６の更新を行う（Ｓ１１２３）。
【００７９】
設定変更指令部７０８は、各アクセスポイント６０２のデータ信号処理部８１４にスケジューリング設定情報を送信する（Ｓ１１２４）。各アクセスポイント６０２のテーブル管理部８１７はスケジューリング設定情報に基づいてポーリングテーブル８０６を更新（Ｓ１１２５）し、アクセスポイント６０２は再びポーリング通信を行う。
【００８０】
なお、ステップＳ１１０１、ステップＳ１１０２において、アクセスポイント６０２が、自身のカバレッジに含まれる無線端末６０３を把握する方法は前述したものに限られない。例えば、ステップＳ１１０１において、各無線端末６０３が、ブロードキャスト信号を送信し、周辺のアクセスポイント６０２に自らの存在を通知してもよい。また、ステップＳ１１０１、ステップＳ１１０２において、各アクセスポイント６０２が、自身のカバレッジ内に存在する無線端末６０３を定期的に監視してもよい。
【００８１】
図９は、本実施例における、ポーリング通信の例を示すシーケンス図である。図９では、２台のアクセスポイント６０２−１、６０２−２を含む無線伝送システムを例示しているが、本実施例の無線伝送システムの機能を実現できる範囲であれば、アクセスポイント６０２の台数に制限はない。また、図９では、アクセスポイント６０２−１が先にＳＩ２０１を開始する場合を例示している。
【００８２】
アクセス制御装置６００の同期処理部７１１は、スケジューリング設定情報、及びポーリングを開始する基準時間の情報を含むポーリング期間開始信号を生成し、設定変更指令部７０８は、ポーリング期間開始信号を各アクセスポイント６０２−１、６０２−２のデータ信号処理部８１４に送信する（Ｓ１２０１）。
【００８３】
ポーリング期間開始信号を受信した各アクセスポイント６０２−１、６０２−２のテーブル管理部８１７は、ポーリング期間開始信号に含まれるスケジューリング設定情報に基づいて、それぞれの基本サービスセット６０６−１、６０６−２におけるポーリングテーブル８０６を更新する（Ｓ１２０２）。
【００８４】
アクセスポイント６０２−１、６０２−２の同期処理部８１５は、ポーリング期間開始信号に含まれるポーリング期間開始基準時刻の情報に基づいて、ポーリング期間が開始するまで必要時間待機する（Ｓ１２０３）。アクセスポイント６０２−１、６０２−２は、更新したポーリングテーブル８０６に従い、順次ＳＩ２０１を開始する（Ｓ１２０４）。
【００８５】
アクセスポイント６０２−１は、アソシエーションしている各無線端末６０３−１ｍ（ｍは任意の自然数）に対してポーリング信号を送信する（Ｓ１２０４ａ）。ポーリング信号の宛先となっている各無線端末６０３−１ｍは、アクセスポイント６０２−１のデータ信号処理部８１４に、データ信号を送信する（Ｓ１２０４ｂ）。ステップＳ１２０４におけるＳＩ２０１は、包括的ポーリング区間１４０２と、選択的ポーリング区間１４０３と、ＣＳＭＡ区間１４０４、の３つの区間に分かれる。
【００８６】
アクセスポイント６０２−１の制御信号処理部８１３は、無線端末６０３−１ｍに対して、確認応答信号を送信し、データ信号処理部８１４は、無線端末６０３−１ｍに対して、通信区間終了通知信号を送信する（Ｓ１２０４ｃ）。通信区間終了通知信号を受信した各無線端末６０３−１ｍは次のＳＩ２０１まで待機する。基本サービスセット６０６−１におけるＳＩ２０１が終了した後、ポーリングテーブル８０６に従い、基本サービスセット６０６−２におけるＳＩ２０１が開始する（Ｓ１２０５）。
【００８７】
ステップＳ１２０５における、アクセスポイント６０２−２、及びアクセスポイント６０２−２とアソシエーションしている各無線端末６０３−２ｎ（ｎは任意の自然数）の動作は、Ｓ１２０４における、アクセスポイント６０２−１、各無線端末６０３−１ｍの動作と同様である。アクセスポイント６０２−１及びアクセスポイント６０２−２は、基本サービスセット６０６−１、及び基本サービスセット６０６−２におけるＳＩ２０１を、設定された回数繰返す。
【００８８】
図１０は、各アクセスポイント６０２のポーリング通信時における動作例を示すフローチャートである。まず、アクセスポイント６０２は、アクセス制御装置６００からのポーリング期間開始信号の受信待機状態にある（Ｓ１３００）。アクセスポイント６０２のデータ信号処理部８１４が、ポーリング期間開始信号を受信すると（Ｓ１３０１）、アクセスポイント６０２は、カウンタを１にセットし（Ｓ１３０２）、ＳＩカウンタループを開始する（Ｓ１３０３）。
【００８９】
アクセスポイント６０２の同期処理部８１５は、受信したポーリング期間開始信号に含まれる、ポーリング期間開始基準時刻の情報と、スケジューリング設定情報とに基づいて、ポーリング開始タイミングまでの必要時間、アクセスポイント６０２を待機させる（Ｓ１３０４）。必要時間待機後、当該アクセスポイント６０２のポーリング制御部８０９は、包括的ポーリング区間１４０２を開始し（Ｓ１３０５）、アソシエーションしている無線端末６０３に対して、順次ポーリング信号を送信する。
【００９０】
当該基本サービスセット６０６に属している各無線端末６０３は、自局宛のポーリング信号に応じて、データ信号を当該アクセスポイント６０２のデータ信号処理部８１４に送信する。包括的ポーリング区間１４０２終了後、当該アクセスポイント６０２のデータ信号処理部８１４は、当該基本サービスセット６０６に属している全無線端末６０３から送信されたデータ信号の受信に成功したか否かチェックする（Ｓ１３０６）。
【００９１】
データ信号処理部８１４が、当該基本サービスセット６０６に含まれる１つ以上の無線端末６０３からのデータ信号を受信できなかった場合は（Ｓ１３０６：Ｎｏ）、アクセスポイント６０２は、データ信号の送信を失敗した無線端末６０３に対して、再度ポーリングをする選択的ポーリング区間１４０３を開始する。このとき、再送制御部８１０は、データ信号の送信を失敗した無線端末６０３に対して、データの再送を指示する（Ｓ１３０７）。
【００９２】
当該基本サービスセット６０６に含まれる全ての無線端末６０３に対して、データ送信に成功した場合は（Ｓ１３０６：Ｙｅｓ）、又は、上記選択的ポーリング区間１４０３が終了した場合、アクセスポイント６０２は、ＣＳＭＡ区間１４０４を開始する。このとき、ＣＳＭＡ制御部８１１は、無線端末６０３の制御を行う（Ｓ１３０８）。アクセスポイント６０２は、Ｓ１３０４〜Ｓ１３０８のサブルーチンを実行した回数を、カウンタを用いて数え、当該カウンタによるカウントが設定回数に達したらＳＩカウンタループを終了し（Ｓ１３０９）、信号受信待機の状態に戻る（Ｓ１３００）。
【００９３】
図１１Ａは、各実施例におけるポーリングタイミング例を、説明するための、無線ネットワークの一例を示す。図１０Ａの無線ネットワークは、３つのアクセスポイント６０２−１〜６０２−３、９つの無線端末６０３−１〜６０３−９を含む。簡単のため、図１０Ａにおいては、アクセス制御装置６００、及び有線ケーブル６０１−１〜６０１−３を省略して記載しているが、各アクセスポイント６０２−１〜６０２−３は、有線ケーブル６０１により、アクセス制御装置６００に、接続されている。
【００９４】
アクセスポイント６０２−１のカバレッジ６０７−１には、無線端末６０３−１，６０３−２，６０３−３，６０３−８，６０３−９が含まれる。アクセスポイント６０２−２のカバレッジ６０７−２には、無線端末６０３−２，６０３−３，６０３−４，６０３−５、６０３−６、６０３−９が含まれる。アクセスポイント６０２−３のカバレッジ６０７−３には、無線端末６０３−６、６０３−７、６０３−８、６０３−９が含まれる。
【００９５】
また、簡単のため図１１Ａにおいては、記載を省略しているが、アクセスポイント６０２−１は、無線端末６０３−１と、アクセスポイント６０２−２は、無線端末６０３−２〜６０３−６と、アクセスポイント６０２−３は、無線端末６０３−７〜６０３−９とアソシエーションし、それぞれ基本サービスセット６０６−１〜６０６−３を構成する。
【００９６】
図１１Ｂは、図１１Ａに示す無線ネットワークにおける、全ＡＰ衝突テーブル７０４ｂの構成例を示す。
【００９７】
図１１Ｃは、図１１Ａに示す無線ネットワークにおける、全ＡＰアソシエーションテーブル７０５ｂの構成例を示す。
【００９８】
図１２Ａは、本実施例において、図１１Ａで示した無線ネットワークを用いた場合のポーリングタイミング例を示すタイミングチャートである。
【００９９】
アクセス制御装置６００の設定変更指令部７０８は、各アクセスポイント６０２−１〜６０２−３の同期処理部８１５にポーリング期間開始信号１４０１を送信する。アクセスポイント６０２−１〜６０２−３のテーブル管理部８１７は、受信したポーリング期間開始信号に含まれるスケジューリング設定情報に基づき、ポーリングテーブル８０６を更新する。
【０１００】
アクセスポイント６０２−１〜６０２−３の同期処理部８１５は、ポーリング期間開始信号に含まれる、ポーリング期間開始基準時刻の情報に基づいて、各基本サービスセット６０６−１〜６０６−３でポーリングを開始する。本実施例では、アクセスポイント６０２−１、アクセスポイント６０２−２、アクセスポイント６０２−３の順に通信区間が与えられるものとする。各アクセスポイント６０２における通信区間は、包括的ポーリング区間１４０２、選択的ポーリング区間１４０３、ＣＳＭＡ区間１４０４の順に、割り当てられる。
【０１０１】
また、アクセスポイント６０２間の通信区間は互いに重複しないものとする。これにより、ある無線端末６０３がアクセスポイント６０２とポーリング通信、又はＣＳＭＡ通信を行っている間、当該無線端末６０３が含まれるカバレッジ６０７の他のアクセスポイント６０２がポーリング通信、ＣＳＭＡ通信を行わないようにできる。従って、ポーリング期間中において、データ信号の衝突を避けることができ、ＱｏＳを保証することができる。
【０１０２】
アクセスポイント６０２−１は、ポーリングテーブル８０６に従って通信を行う。アクセスポイント６０２−２、６０２−３についても同様である。アクセスポイント６０２−１〜６０２−３は、それぞれ上記通信区間を設定回数繰り返す。
【０１０３】
以下、図１２Ｂ、図１２Ｃを用いて、本実施例におけるスケジューリングテーブル７０６の作成方法を説明する。本実施例において、スケジューリング演算部７０７は、図１１Ｃで示した全ＡＰアソシエーションテーブル７０５ｂの情報に基づいて、スケジューリングテーブル７０６を作成する。
【０１０４】
図１２Ｂは、図１２Ａで示したポーリングタイミングにおいて、各基本サービスセット６０６において、ポーリング通信を行うアクセスポイント６０２と無線端末６０３との組み合わせの順番を示すテーブルの構成例である。
【０１０５】
スケジューリング演算部７０７は、スケジューリングテーブル７０６を作成する際に、まず、各アクセスポイント６０２がポーリング通信を行う無線端末６０３の順番を決定する。以下、当該順番の決定方法について説明する。
【０１０６】
前述した通り、本実施例においては、アクセスポイント６０２−１、６０２−２、６０２−３の順に通信区間が与えられる。まず、アクセスポイント６０２−１とアソシエーションしている無線端末は６０３−１のみである。従って、無線端末６０３−１を１番目にポーリングされる端末に決定する。
【０１０７】
同様に、アクセスポイント６０２−２とアソシエーションしている無線端末は６０３−２〜６０３−６であるため、無線端末６０３−２〜６０３〜６をそれぞれ２〜６番目にポーリングされる端末に決定する。アクセスポイント６０２−３とアソシエーションしている無線端末は６０３−７〜６０３−９であるため、無線端末６０３−７〜６０３〜９をそれぞれ７〜９番目にポーリングされる端末に決定する。
【０１０８】
上記のように、スケジューリング演算部７０７は、各アクセスポイント６０２−１〜６０２−３がポーリング通信する無線端末６０３−１〜６０３−９の順番を決定したら、当該順番に従って、本テーブルの各セルに、対応する無線端末６０３の識別情報を格納する。なお、アクセスポイント６０２が、当該順番にポーリング通信を行っていない場合、当該セルに０が格納される。
【０１０９】
図１２Ｃは、図１２Ａで示したポーリングタイミングを表す、スケジューリングテーブル７０６ｂの構成例を示す。スケジューリング演算部７０７は、図１２Ｂで示したテーブルを修正することにより、スケジューリングテーブル７０６ｂを作成する。以下、本実施例におけるスケジューリングテーブル７０６の具体的な作成方法について説明する。
【０１１０】
スケジューリング演算部７０７は、各アクセスポイント６０２−１〜６０２−３がポーリング通信する無線端末６０３−１〜６０３−９の順番を決定した後、各基本サービスセット６０６−１〜６０６−３において、選択的ポーリング区間１４０３とＣＳＭＡ区間１４０４とで必要となるスロット数を算出する。
【０１１１】
図１２Ｃでは、各基本サービスセット６０６に属する無線端末６０３の数が多いほど、選択的ポーリング区間１４０３とＣＳＭＡ区間１４０４とに多くのスロットを割り当てる場合を例示している。スケジューリング演算部７０７は、図１２Ｂで示したテーブルに上記算出されたスロット数の分だけ、選択的ポーリング区間１４０３とＣＳＭＡ区間１４０４を表す−１を、図１２Ｂで示すテーブルに挿入する。
【０１１２】
本実施例によれば、無線伝送システムにおいて、複数のアクセスポイント６０２を設置することにより、通信エリアを拡張することができる。また、本実施例におけるスケジューリングによれば、ある無線端末６０３がアクセスポイント６０２とポーリング通信、又はＣＳＭＡ通信を行っている間、当該無線端末６０３が含まれるカバレッジの他のアクセスポイント６０２はポーリング通信、ＣＳＭＡ通信を行わない。従って、本実施例の無線伝送システムは、複数のアクセスポイント６０２を設置しているにも関わらず、データ信号の衝突を避けることができ、ＱｏＳを保証することができる。
【実施例２】
【０１１３】
本実施例の無線伝送システムは、ポーリング期間を短くすることができる。実施例１と異なる主な点は、各基本サービスセット６０６において選択的ポーリング区間が終了しても、ＣＳＭＡ区間には移行せず、全ての基本サービスセット６０６に選択的ポーリング区間が終了してから、一斉にＣＳＭＡ区間を開始することである。
【０１１４】
図１３Ａは、本実例において、図１１Ａで示した無線ネットワークを用いてポーリング通信をした場合の、ポーリングタイミング例を示すタイミングチャートである。
【０１１５】
アクセス制御装置６００の設定変更指令部７０８は、各アクセスポイント６０２−１〜６０２−３の同期処理部８１５にポーリング期間開始信号１５０１を送信する。アクセスポイント６０２−１〜６０２−３のテーブル管理部８１７は、受信したポーリング期間開始信号に含まれるスケジューリング設定情報に基づき、ポーリングテーブル８０６を更新する。なお、本実施例におけるスケジューリングテーブル７０６の構成、及びその作成方法は後述する。
【０１１６】
アクセスポイント６０２−１〜６０２−３の同期処理部８１５は、ポーリング期間開始信号に含まれる、ポーリング期間開始基準時刻の情報に基づいて、各基本サービスセット６０６−１〜６０６−３でポーリングを開始する。本実施例においては、アクセスポイント６０２−１、アクセスポイント６０２−２、アクセスポイント６０２−３の順に通信区間が与えられるものとする。各アクセスポイント６０２における通信区間は、包括的ポーリング区間１５０２、選択的ポーリング区間１５０３、ＣＳＭＡ区間１５０７の順に、割り当てられる。
【０１１７】
また、アクセスポイント６０２の包括的ポーリング区間１５０２、又は選択的ポーリング区間１５０３は他のアクセスポイント６０２の通信区間と重複しないものとする。これにより、ある無線端末６０３がアクセスポイント６０２とポーリング通信を行っている間、当該無線端末６０３が含まれるカバレッジ６０７の他のアクセスポイント６０２がポーリング通信を行わないようにできる。従って、ポーリング区間中において、データ信号の衝突を避けることができ、ＱｏＳを保証することができる。
【０１１８】
アクセスポイント６０２−１の選択的ポーリング区間１５０３の終了後、アクセスポイント６０２−１がアクセス制御装置６００にポーリング区間終了通知信号１５０４を送信する。なお、選択的ポーリング区間１５０３が、ポーリングテーブル８０６に割り当てられたタイムスロット２０２よりも早く終了した場合は、その分だけポーリング区間終了通知信号１５０４の送信以降のスケジュールを前倒しする。
【０１１９】
アクセスポイント６０２−１からポーリング区間終了通知信号１５０４を受信したアクセス制御装置６００は、アクセスポイント６０２−２に対して包括的ポーリング区間開始信号１５０５を送信し、アクセスポイント６０２−２が包括的ポーリングを開始する。アクセスポイント６０２−２、６０２−３が行うポーリング通信については、アクセスポイント６０２−１と同様である。
【０１２０】
アクセス制御装置６００のデータ信号処理部７１０が、アクセスポイント６０２−３からポーリング区間終了通知信号１５０４を受信したら、アクセス制御装置６００の制御信号処理部７０９は、各アクセスポイント６０２−１〜６０２−３に対してＣＳＭＡ区間開始通知信号１５０６を送信し、全ての基本サービスセット６０６−１〜６０６−３でＣＳＭＡ区間１５０７を開始する。なお、選択的ポーリング区間１５０３において、選択的ポーリング区間１５０３の長さがポーリングテーブルで割り当てられたタイムスロット２０２よりも早く終了し、スケジュールを前倒しした場合は、選択的ポーリング区間１５０３が短くなった分のタイムスロット２０２を、ＣＳＭＡ区間１５０７に追加する。
【０１２１】
上記サブルーチン（アクセスポイント６０２−１における包括的ポーリング区間１５０２の開始から、全アクセスポイント６０２−１〜６０２−３におけるＣＳＭＡ区間１５０７の終了まで）を設定回数繰り返す。
【０１２２】
図１３Ｂは、図１３Ａで示した包括的ポーリング区間１５０２におけるポーリングタイミングを表す、スケジューリングテーブル７０６ｃの構成例を示す。本実施例において、ポーリング通信を行う無線端末６０３の順番は実施例１と同様である。
【０１２３】
またスケジューリングテーブル７０６ｃの作成方法も図１２Ｃで示したものと同様であるが、以下の点において異なる。ポーリング期間の最後に全てのアクセスポイント６０２で同時にＣＳＭＡ区間１５０７を開始するため、スケジューリングテーブル７０６ｃの最後のスロットに、全てのアクセスポイント６０２について−１を挿入することと、各アクセスポイント６０２において選択的ポーリング区間１５０３に割り当てるスロット数を、ＣＳＭＡ区間１５０７の分だけ減少させることである。
【０１２４】
本実施例においては、全ての基本サービスセット６０６−１〜６０６−３で同時にＣＳＭＡ通信を行うため、ポーリング期間の長さは実施例１の無線伝送システムより短くなる。また、選択的ポーリング区間１５０３が早く終了した場合は、ＣＳＭＡ区間１５０７を長くとることができる。
【０１２５】
従って、本実施例によれば、実施例１の効果に加え、実施例１よりポーリング期間を短くすることができる。さらに、選択的ポーリング区間１５０３が早く終了し、スケジュールを前倒しした場合は、ＣＳＭＡ区間１５０７が長くなる。これにより、ポーリング通信によるパケットロス率を低下させることなく、優先制御の機能が実装されていない無線端末６０３に対してもパケットロス率を低下させることができる。
【実施例３】
【０１２６】
本実施例の無線伝送システムは、パケットロス率をさらに低下させることができる。実施例１と異なる主な点は、各基本サービスセット６０６において包括的ポーリング区間が終了しても、すぐに選択的ポーリング区間には移行せず、全基本サービスセット６０６におけるデータ送信状況に基づいて、選択的ポーリング区間のために再度スケジューリングを行うことである。
【０１２７】
図１４Ａは、本実例において、図１１Ａで示した無線ネットワークを用いてポーリング通信をした場合の、ポーリングタイミング例を示すタイミングチャートである。
【０１２８】
アクセス制御装置６００の設定変更指令部７０８は、各アクセスポイント６０２−１〜６０２−３の同期処理部８１５にポーリング期間開始信号１６０１を送信する。アクセスポイント６０２−１〜６０２−３のテーブル管理部８１７は、受信したポーリング期間開始信号に含まれるスケジューリング設定情報に基づき、ポーリングテーブル８０６を更新する。このスケジューリング設定情報には包括的ポーリング区間１６０２についての情報のみが含まれる。なお、本実施例で利用される、スケジューリングテーブル７０６ｄ、７０６ｅの構成、及びその作成方法は後述する。
【０１２９】
アクセスポイント６０２−１〜６０２−３の同期処理部８１５は、ポーリング期間開始信号に含まれる、ポーリング期間開始基準時刻の情報に基づいて、各基本サービスセット６０６−１〜６０６−３でポーリングを開始する。
【０１３０】
本実施例では、アクセスポイント６０２−１、アクセスポイント６０２−２、アクセスポイント６０２−３の順に通信区間が与えられるものとする。各アクセスポイント６０２における通信区間は、包括的ポーリング区間１６０２、選択的ポーリング区間１６０５、ＣＳＭＡ区間１６０６の順に、割り当てられる。
【０１３１】
また、アクセスポイント６０２間の通信区間は互いに重複しないものとする。これにより、ある無線端末６０３がアクセスポイント６０２とポーリング通信、又はＣＳＭＡ通信を行っている間、当該無線端末６０３が含まれるカバレッジ６０７の他のアクセスポイント６０２がポーリング通信、ＣＳＭＡ通信を行わないようにできる。従って、ポーリング期間中において、データ信号の衝突を避けることができ、ＱｏＳを保証することができる。
【０１３２】
アクセスポイント６０２−１は、包括的ポーリング区間１６０２を開始する。包括的ポーリング区間１６０２の終了後、アクセスポイント６０２−１のデータ信号処理部８１４は、データ通信に失敗した無線端末６０３についての情報を含む、包括的ポーリング区間終了通知信号１６０３をアクセス制御装置６００のデータ信号処理部７１０に送信する。アクセスポイント６０２−２、６０２−３についても同様である。なお、データ通信に失敗した無線端末６０３の情報としては、例えば、データ信号の送信に失敗した無線端末６０３の台数、識別情報等がある。
【０１３３】
スケジューリング演算部７０７は、各アクセスポイント６０２から受信した、無線端末６０３によるデータ送信の成否についての情報に基づいて、選択的ポーリング区間１６０５とＣＳＭＡ区間１６０６について、スケジューリングテーブル７０６ｅを作成し、テーブル管理部７１３は、スケジューリングテーブル７０６ｅを更新する。アクセス制御装置６００の同期処理部７１１は、選択的ポーリング区間１６０５を開始する基準時刻の情報と、新たに作成されたスケジューリングテーブル７０６ｅの情報と、を含む選択的ポーリング区間開始信号１６０４を作成する。アクセス制御装置６００のデータ信号処理部７１０は、選択的ポーリング区間開始信号１６０４を各アクセスポイント６０２−１〜６０２−３に送信する。
【０１３４】
アクセスポイント６０２−１〜６０２−３のテーブル管理部８１７は、受信した信号に含まれる新たに作成されたスケジューリングテーブル７０６ｅの情報に基づき、ポーリングテーブル８０６を作成する。アクセスポイント６０２−１〜６０２−３は、受信した信号に含まれる選択的ポーリング区間１６０５を開始する基準時刻の情報に基づいて、必要時間待機する。必要時間待機後、アクセスポイント６０２−１〜６０２−３は、当該ポーリングテーブル８０６に基づいて、各基本サービスセット６０６−１〜６０６−３で選択的ポーリング区間１６０５を開始する。アクセスポイント６０２−１〜６０２−３は選択的ポーリング区間１６０５が終了したら、ＣＳＭＡ区間１６０６を開始する。上記サブルーチン（アクセスポイント６０２−１の包括的ポーリング区間１６０２の開始から、アクセスポイント６０２−３のＣＳＭＡ区間１６０６の終了まで）を設定回数繰り返す。
【０１３５】
また、図１４Ａに示していないが、以下のようなポーリングタイミング例も考えられる。各アクセスポイント６０２−１〜６０２−３は、各基本サービスセット６０６−１〜６０６−３における選択的ポーリング区間１６０５終了後に、ＣＳＭＡ区間１６０６には入らず、ポーリング区間終了通知信号をアクセス制御装置６００に送信する。アクセスポイント６０２−２、６０２−３も同様の動作をする。アクセス制御装置６００は、アクセスポイント６０２−３からのポーリング区間終了通知信号を受け取った後、全てのアクセスポイント６０２−１〜６０２−３に対してポーリング区間終了通知信号を送信し、全ての基本サービスセット６０６−１〜６０６−３でＣＳＭＡ区間１６０６が開始する。
【０１３６】
図１４Ｂは、図１４Ａで示した包括的ポーリング区間１６０２におけるポーリングタイミングを表す、スケジューリングテーブル７０６ｄの構成例を示す。本実施例において、ポーリング通信を行う順番は実施例１と同様である。スケジューリング演算部７０７は、図１２Ｂで示したテーブルのセルを、包括的ポーリング区間１６０２におけるスケジューリングテーブル７０６ｄのセルにそのまま上書きする。このようにして、包括的ポーリング区間１６０２におけるスケジューリングテーブル７０６ｄを作成することができる。
【０１３７】
図１４Ｃは、図１４Ａで示した選択的ポーリング区間１６０５とＣＳＭＡ区間１６０６におけるポーリングタイミングを表す、スケジューリングテーブル７０６ｅの構成例を示す。
【０１３８】
スケジューリング演算部７０７は、受信した包括的ポーリング区間終了通知信号１６０３に含まれる、データ通信に失敗した無線端末６０３の情報に基づいて、スケジューリングテーブル７０６ｅを作成する。例えば、各基本サービスセット６０６−１〜６０６−３において、選択的ポーリング区間１６０５とＣＳＭＡ区間１６０６に必要なスロット数を算出する。
【０１３９】
例えば、包括的ポーリング区間１６０２において、各アクセスポイント６０２−１〜６０２−３が、データ通信に失敗した無線端末６０３の台数に応じて、必要なスロット数を算出することができる。つまり、各アクセスポイント６０２−１〜６０２−３が、データ通信に失敗した無線端末６０３の台数が多いほど、多くのタイムスロット２０２を割り当てる。このようにタイムスロット２０２を割り当てることで、パケットロス率を小さくすることができる。
【０１４０】
図１４Ｃでは、基本サービスセット６０６−１、６０６−２、６０６−３に、それぞれ１つ、２つ、３つのタイムスロット２０２が割り当てられたものとしている。
【０１４１】
従って、スケジューリング演算部７０７は、アクセスポイント６０２−１、６０２−２、６０６−３の順に、上記算出されたスロット数の分だけ、選択的ポーリング区間１６０５とＣＳＭＡ区間１６０６を表す−１をスケジューリングテーブル７０６ｅに格納する。
【０１４２】
本実施例によれば、包括的ポーリング区間１６０２におけるデータ通信の結果に基づいて、選択的ポーリング区間１６０５とＣＳＭＡ区間１６０６におけるスケジューリングテーブル７０６ｅを作成することができる。従って、実施例１の効果に加え、パケットロス率をさらに低減することができる。
【実施例４】
【０１４３】
本実施例の無線伝送システムは、複数のアクセスポイント６０２が同時にポーリング通信を行うことで、ポーリング期間を短くすることができる。さらに、パケットロス率をさらに低下させることができる。
【０１４４】
図１５Ａは、本実例において、図１１Ａで示した無線ネットワークを用いてポーリング通信をした場合の、ポーリングタイミング例を示すタイミングチャートである。
【０１４５】
実施例１と異なる点は、データ信号が衝突しない範囲で、複数のアクセスポイント６０２が同時にポーリング通信を行うことと、実施例３と同様、包括的ポーリング区間の後に、再度スケジューリングを行うことである。
【０１４６】
アクセス制御装置６００の設定変更指令部７０８は、各アクセスポイント６０２−１〜６０２−３の同期処理部８１５にポーリング期間開始信号１８０１を送信する。アクセスポイント６０２−１〜６０２−３のテーブル管理部８１７は、受信したポーリング期間開始信号１８０１に含まれるスケジューリング設定情報に基づき、ポーリングテーブル８０６を更新する。なお、本実施例におけるスケジューリングテーブル７０６ｆ、７０６ｇの構成、及びその作成方法は後述する。
【０１４７】
アクセスポイント６０２−１〜６０２−３の同期処理部８１５は、ポーリング期間開始信号１８０１に含まれる、ポーリング期間開始基準時刻の情報に基づいて、各基本サービスセット６０６−１〜６０６−３でポーリングを開始する。
【０１４８】
なお、本実施例においては、アクセスポイント６０２間の通信区間が互いに重複することがある。但し、ある無線端末６０３がアクセスポイント６０２とポーリング通信を行っている間は、当該無線端末６０３が含まれるカバレッジ６０７の他のアクセスポイント６０２がポーリング通信を同時に行わないものとする。
【０１４９】
本実施例においては、各アクセスポイント６０２における通信区間は、包括的ポーリング区間１８０２、選択的ポーリング区間１８０５、ＣＳＭＡ区間１８０６の順に、割り当てられる。
【０１５０】
アクセスポイント６０２−１は、包括的ポーリング区間１８０２を開始する。包括的ポーリング区間１８０２の終了後、アクセスポイント６０２−１のデータ信号処理部８１４は、データ通信に失敗した無線端末６０３についての情報を含む、包括的ポーリング区間終了通知信号１８０３を、アクセス制御装置６００のデータ信号処理部７１０に送信する。アクセスポイント６０２−２、６０２−３についても同様である。なお、データ通信に失敗した無線端末６０３の情報としては、例えば、データ信号の送信に失敗した無線端末６０３の台数や、識別情報等がある。
【０１５１】
スケジューリング演算部７０７は、各アクセスポイント６０２から受信した、包括的ポーリング区間終了通知信号１８０３に含まれる、無線端末６０３によるデータ送信の成否についての情報に基づいて、選択的ポーリング区間１８０５とＣＳＭＡ区間１８０６について、スケジューリングテーブル７０６ｇを作成する。テーブル管理部７１３は、スケジューリングテーブル７０６ｇを更新する。アクセス制御装置６００の同期処理部７１１は、選択的ポーリング区間１８０５を開始する基準時刻の情報と、新たに作成されたスケジューリングテーブル７０６ｇの情報と、を含む選択的ポーリング区間開始信号１８０４を作成する。アクセス制御装置６００のデータ信号処理部７１０は、選択的ポーリング区間開始信号１８０４を各アクセスポイント６０２−１〜６０２−３に送信する。
【０１５２】
アクセスポイント６０２−１〜６０２−３のテーブル管理部８１７は、受信した選択的ポーリング区間開始信号１８０４に含まれる、新たに作成されたスケジューリングテーブル７０６ｇの情報に基づき、ポーリングテーブル８０６を作成する。アクセスポイント６０２−１〜６０２−３は、受信した選択的ポーリング区間開始信号１８０４に含まれる選択的ポーリング区間１８０５を開始する基準時刻の情報に基づいて、必要時間待機する。
【０１５３】
必要時間待機後、アクセスポイント６０２−１〜６０２−３は、当該ポーリングテーブル８０６に基づいて、各基本サービスセット６０６−１〜６０６−３で選択的ポーリング区間１８０５を開始する。各アクセスポイント６０２−１〜６０２−３は、選択的ポーリング区間１８０５が終了した後、ＣＳＭＡ区間１８０６を開始する。上記サブルーチン（アクセスポイント６０２が包括的ポーリング区間１８０２を開始してから、全てのアクセスポイント６０２−１〜６０２−３におけるＣＳＭＡ区間が終了するまで）を設定回数繰り返す。
【０１５４】
以下、本実施例の、包括的ポーリング区間におけるスケジューリングテーブル７０６ｆ、７０６ｇの作成方法の一例を、図１５Ｂ〜１５Ｅを用いて説明する。
【０１５５】
図１５Ｂは、スケジューリングテーブル７０６ｆの作成の過程を表すテーブルである。本テーブルは、図１１Ｂに示した全ＡＰ衝突テーブル７０４ｂに、各列の合計を表す行（ｓｕｍ）を追加することにより、作成される。つまり、ｓｕｍは各無線端末６０３が含まれる、アクセスポイント６０２のカバレッジ６０７の数を格納する。
【０１５６】
図１５Ｃは、スケジューリングテーブル７０６ｆの作成の過程を表すテーブルである。図１５Ｂで示したテーブルをｓｕｍの降順にソートすることにより、作成される。その後、同時にポーリング通信を行ってもデータ信号の衝突が起こらない、無線端末６０３の組み合わせを作成する。即ち、ある無線端末６０３と、当該無線端末６０３が含まれるカバレッジ６０７の全てに含まれない無線端末６０３との組み合わせを作成する。以下、当該無線端末６０３の組み合わせの作成方法の一例について説明する。
【０１５７】
本テーブルの左側の（ｓｕｍの値が大きい）無線端末６０３から順に当該組み合わせを作成する。まず、無線端末６０３−９は、全てのカバレッジ６０７−１〜６０７−３に含まれているため、他の無線端末６０３と同時にポーリング通信を行うとデータ信号の衝突が起きてしまう。従って、無線端末６０３−９は、単独でポーリング通信を行う。
【０１５８】
次に、無線端末６０３−２は、カバレッジ６０７−１、６０７−２に含まれている。従って、無線端末６０３−２は、カバレッジ６０７−３のみに含まれる無線端末６０３と組み合わせることができる。これに該当する無線端末６０３−７のみであるため、無線端末６０３−２は無線端末６０３−７と組み合わせになる。
【０１５９】
次に、無線端末６０３−３は、カバレッジ６０７−１、６０７−２に含まれており、カバレッジ６０７−３のみに含まれる無線端末６０３と組み合わせることができる。しかし、これに該当する端末は、無線端末６０３−７のみであり、既にこれは無線端末６０３−２と組になっている。従って、無線端末６０３−３は、単独でポーリング通信を行う。同様に、無線端末６０３−８は、無線端末６０３−４と、無線端末６０３−６は、無線端末６０３−１と、それぞれ組み合わせになる。
【０１６０】
図１５Ｄは、本実施例の包括的ポーリング区間１８０２におけるスケジューリングテーブル７０６ｆの構成例を示す。スケジューリングテーブル７０６ｆは、図１５Ｃで作成された、無線端末６０３の組にタイムスロット２０２を１つずつ順に割り当て、全ＡＰアソシエーションテーブル７０５ｂを参照し、各無線端末６０３とアソシエーションしているアクセスポイント６０２に、各無線端末６０３を割り振ることにより、作成される。
【０１６１】
図１５Ｅは、本実施例の選択的ポーリング区間１８０５とＣＳＭＡ区間１８０６とにおけるスケジューリングテーブル７０６ｇの構成例を示す。本実施例のスケジューリングテーブル７０６ｇは、選択的ポーリング区間１８０５にタイムスロット２０２が割り当てられているときは、当該セルに無線端末６０３の一意に識別する識別情報を格納する。ＣＳＭＡ区間１８０６にタイムスロット２０２が割り当てられているときは、当該セルに−１を格納する。
【０１６２】
図１５Ｅでは、包括的ポーリング区間１８０２において、無線端末６０３−５、６０３−６、６０３−８がデータ送信を失敗した場合を例示している。スケジューリングテーブル７０６ｇの作成方法は、スケジューリングテーブル７０６ｆの作成方法と同様である。
【０１６３】
例えば、無線端末６０３−５、６０３−６、６０３−８に限定して同様のテーブルを作成する。続いて、選択的ポーリング区間１８０５の最終タイムスロット２０２の次の列から、全てのアクセスポイント６０２−１〜６０２−３についてＣＳＭＡ区間１８０６を表す‐１を必要な数だけ追加すればよい。
【０１６４】
従って、本実施例によれば、複数のアクセスポイント６０２が同時にポーリング通信を行うことで、ポーリング期間を短くすることができる。
【実施例５】
【０１６５】
本実施例は実施例１の無線伝送システムにおいて、アクセス制御装置の機能を内蔵したアクセスポイントを設置した無線伝送システムである。実施例１と同一の構成についての説明は省略する。
【０１６６】
本実施例の無線伝送システムが、実施例１の無線伝送システムと異なる点は、アクセス制御装置６００を削除し、１つのアクセスポイント６０２−１を、アクセス制御装置の機能を内蔵するアクセスポイント、即ち、アクセス制御装置兼アクセスポイント１７００としたことである。
【０１６７】
図１６は、本実施例の無線伝送システムの概要の一例を示す。本実施例の無線伝送システムは、アクセス制御装置兼アクセスポイント１７００、有線ケーブル６０１−１〜６０１−３、アクセスポイント６０２−１〜６０２−３、無線端末６０３−１１〜６０３−１３、６０３−２１〜６０３−２３、６０３−３１〜６０３−３３を含む。
【０１６８】
アクセス制御装置兼アクセスポイント１７００とアクセスポイント６０２―２、６０２−３は、それぞれ有線ケーブル６０１―２、６０２−３で接続され、相互に通信を行う。アクセス制御装置兼アクセスポイント１７００は、無線端末６０３−１１〜６０３−１３と、アクセスポイント６０２―２は、無線端末６０３―２１〜６０３−２３と、アクセスポイント６０２―３は、無線端末６０３―３１〜６０３−３３と、それぞれ無線信号により相互に通信を行う。
【０１６９】
アクセス制御装置兼アクセスポイント１７００の構成は、実施例１において、図２、図３で説明したものを併せ持つ。本実施例においては、アクセス制御装置兼アクセスポイント１７００が実施例１におけるアクセス制御装置６００、及び１つのアクセスポイント６０２の動作を担う。なお、本実施例の無線伝送システムの機能を実現できる範囲であれば、アクセス制御装置兼アクセスポイント１７００、有線ケーブル６０１、アクセスポイント６０２、及び無線端末６０３のいずれの個数にも制限はない。
【０１７０】
本実施例によれば、実施例１の効果に加え、アクセスポイント６０２にアクセス制御装置６００の機能を搭載することにより、無線伝送システムの導入コストを安価にすることができる。
【実施例６】
【０１７１】
本実施例は実施例１の無線伝送システムにおいて、アクセス制御装置と各アクセスポイントとを無線接続した、無線伝送システムである。実施例１と同一の構成についての説明は省略する。
【０１７２】
本実施例の無線伝送システムが、実施例１の無線伝送システムと異なる点は、有線ケーブル６０１−１〜６０１−３を削除し、アクセス制御装置６００と、各アクセスポイント６０２−１〜６０２−３とが、無線信号により相互に接続されていることである。
【０１７３】
図１７は、本実施例の無線伝送システムの概要の一例を示す。本実施例の無線伝送システムは、アクセス制御装置６００、アクセスポイント６０２−１〜６０２−３、無線端末６０３−１１〜６０３−１３、６０３−２１〜６０３−２３、６０３−３１〜６０３−３３を含む。
【０１７４】
アクセス制御装置６００とアクセスポイント６０２―ｋ（ｋは１〜３の任意数）は、無線信号により、相互に通信を行う。アクセスポイント６０２―ｋと無線端末６０３―ｋｌ（ｌは１〜３の任意数）は、無線信号により相互に通信を行う。
【０１７５】
なお、本実施例においては、アクセス制御装置６００のインタフェース９０４、が無線信号により、各アクセスポイント６０２と通信を行う。なお、本実施例の無線伝送システムの機能を実現できる範囲であれば、アクセス制御装置６００、有線ケーブル６０１、アクセスポイント６０２、及び無線端末６０３のいずれの個数にも制限はない。
【０１７６】
本実施例によれば、実施例１の効果に加え、アクセス制御装置６００と各アクセスポイント６０２とを無線で接続することにより、アクセス制御装置６００と各アクセスポイント６０２の設置を容易に行うことができる。
【実施例７】
【０１７７】
本実施例は実施例１の無線伝送システムにおいて、アクセス制御装置の機能を内蔵したアクセスポイントを設置し、アクセス制御装置兼アクセスポイントと各アクセスポイントとを無線信号により接続した、無線伝送システムである。実施例１と同一の構成についての説明は省略する。
【０１７８】
本実施例の無線伝送システムが、実施例１の無線伝送システムと異なる点は以下の２つである。１点目は、アクセス制御装置６００を削除し、１つのアクセスポイント６０２−１を、アクセス制御装置６００の機能を内蔵するアクセスポイント、即ち、アクセス制御装置兼アクセスポイント１７００としたことである。２点目は、有線ケーブル６０１−１〜６０１−３を削除し、アクセス制御装置兼アクセスポイント１７００と、各アクセスポイント６０２−２〜６０２−３とが、無線信号により相互に接続されていることである。
【０１７９】
図１８は、本実施例の無線伝送システムの概要の一例を示す。本実施例の無線伝送システムは、アクセス制御装置兼アクセスポイント１７００、アクセスポイント６０２−１〜６０２−３、無線端末６０３−１１〜６０３−１３、６０３−２１〜６０３−２３、６０３−３１〜６０３−３３を含む。
【０１８０】
アクセス制御装置兼アクセスポイント１７００とアクセスポイント６０２―２、６０２−３は、無線信号により接続され、相互に通信を行う。アクセス制御装置兼アクセスポイント１７００は、無線端末６０３−１１〜６０３−１３と、アクセスポイント６０２―２は、無線端末６０３―２１〜６０３−２３と、アクセスポイント６０２―３は、無線端末６０３―３１〜６０３−３３と、それぞれ無線信号により相互に通信を行う。
【０１８１】
アクセス制御装置兼アクセスポイント１７００の構成は、実施例１において、図２、図３で説明したものを併せ持つ。また、アクセス制御装置兼アクセスポイント１７００のインタフェース９０４が無線信号により、各アクセスポイント６０２と通信を行う。本実施例においては、アクセス制御装置兼アクセスポイント１７００が実施例１におけるアクセス制御装置６００、及び１つのアクセスポイント６０２の動作を担う。なお、本実施例の無線伝送システムの機能を実現できる範囲であれば、アクセス制御装置兼アクセスポイント１７００、アクセスポイント６０２、及び無線端末６０３のいずれの個数にも制限はない。
【０１８２】
本実施例によれば、実施例１の効果に加え、アクセスポイント６０２にアクセス制御装置６００の機能を搭載することにより、無線伝送システムの導入コストを安価にすることができ、かつアクセス制御装置兼アクセスポイント１７００と各アクセスポイント６０２とを無線で接続することにより、アクセス制御装置兼アクセスポイント１７００と各アクセスポイント６０２の設置を容易に行うことができる。
【実施例８】
【０１８３】
本実施例は実施例１の無線伝送システムを、無線監視カメラシステムに適用した無線映像伝送システムである。
【０１８４】
図１９は、本実施例の無線映像伝送システムの概要の一例を示す。本実施例の無線映像伝送システムは、遠隔監視センタ２７００、有線ケーブル６０１−１〜６０１−５、ハブ２７０４、アクセスポイント６０２−１〜６０２−３、無線カメラ端末（ＷＣ）２７０３−１１〜２７０３−１３、２７０３−２１〜２７０３−２２、２７０３−３１〜２７０３−３３を含む。
【０１８５】
遠隔監視センタ２７００は、アクセス制御装置６００、モニタ２７０２を含む。アクセス制御装置６００は、有線ケーブル６０１−５により、モニタ２７０２と接続されている。また、アクセス制御装置６００は、有線ケーブル６０１−４により、ハブ２７０４と接続されている。さらにハブ２７０４は、有線ケーブル６０１−ｋ（ｋは１〜３の任意数）により、それぞれアクセスポイント６０２−ｋに接続されている。アクセスポイント６０２−ｋは無線信号により、それぞれ無線カメラ端末２７０３−ｋｌ（ｌは１〜３の任意数）に接続されている。
【０１８６】
なお、本実施例の無線映像伝送システムの機能を実現できる範囲であれば、アクセス制御装置６００、有線ケーブル６０１、アクセスポイント６０２、モニタ２７０２、無線カメラ端末２７０３、及びハブ２７０４のいずれの個数にも制限はない。なお、本実施例において、有線接続となっている部分は、無線接続としてもよい。また、いずれかのアクセスポイント６０２を、アクセス制御装置兼アクセスポイント１７００としてもよい。
【０１８７】
本実施例によれば、実施例１の効果に加え、アクセスポイント６０２を、繁華街等の屋外に設置したり、ビル等の屋内に設置したりすることにより、映像の途切れや遅延が少ない、無線監視カメラシステムの対応エリア拡大が、容易に実現できる。
【０１８８】
なお、本発明は上記した実施例に限定されるものではなく、様々な変形例が含まれる。例えば、上記した実施例は本発明を分かりやすく説明するために詳細に記載したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０１８９】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【０１９０】
６００  アクセス制御装置、６０２  アクセスポイント、６０３  無線端末、６０６  基本サービスセット、７０４  全ＡＰ衝突テーブル、７０５  全ＡＰアソシエーションテーブル、７０６  スケジューリングテーブル、７０７  スケジューリング演算部、７０８  設定変更指令部、７０９  制御信号処理部、７１０  データ信号処理部、７１１  同期処理部、８０４  衝突テーブル、８０５  アソシエーションテーブル、８０６  ポーリングテーブル、８０８  設定変更要求部、８０９  ポーリング制御部、８１０  再送制御部、８１１  ＣＳＭＡ制御部、８１２  信号検出部、８１３  制御信号処理部、８１４  データ信号処理部、８１５  同期処理部８１５、１７００  アクセス制御装置兼アクセスポイント、２７０３  無線カメラ端末
【図１】
2015032955.tif 000003
【図２】
2015032955.tif 000004
【図３】
2015032955.tif 000005
【図４】
2015032955.tif 000006
【図５】
2015032955.tif 000007
【図６】
2015032955.tif 000008
【図７】
2015032955.tif 000009
【図８】
2015032955.tif 000010
【図９】
2015032955.tif 000011
【図１０】
2015032955.tif 000012
【図１１Ａ】
2015032955.tif 000013
【図１１Ｂ】
2015032955.tif 000014
【図１１Ｃ】
2015032955.tif 000015
【図１２Ａ】
2015032955.tif 000016
【図１２Ｂ】
2015032955.tif 000017
【図１２Ｃ】
2015032955.tif 000018
【図１３Ａ】
2015032955.tif 000019
【図１３Ｂ】
2015032955.tif 000020
【図１４Ａ】
2015032955.tif 000021
【図１４Ｂ】
2015032955.tif 000022
【図１４Ｃ】
2015032955.tif 000023
【図１５Ａ】
2015032955.tif 000024
【図１５Ｂ】
2015032955.tif 000025
【図１５Ｃ】
2015032955.tif 000026
【図１５Ｄ】
2015032955.tif 000027
【図１５Ｅ】
2015032955.tif 000028
【図１６】
2015032955.tif 000029
【図１７】
2015032955.tif 000030
【図１８】
2015032955.tif 000031
【図１９】
2015032955.tif 000032